(57)【要約】【課題】金属薄板製の円環状接点を樹脂製の接点基板にインサート成形固定した回転型電子部品に関し、円環状接点を固定する際に応力が生じ難く、電気信号の波形が長期において安定しているものを提供する。【解決手段】所定巾のスリット１７で分断された円弧部１８およびこれに導通して点在する信号接点部１９からなる金属薄板製の円環状接点１６が、表面に露出してインサート成形固定された接点基板部１５Ｂと、円環状接点１６に沿って摺動する弾性接点１２とで構成され、上記スリット１７部分を含む弾性接点１２の全摺動範囲において一定の規則に従った電気信号を発生する回転型電子部品の構成とし、接点基板部１５Ｂに対して円環状接点１６を固定する時に上記スリット１７によって応力が生じ難いものとした。【選択図】  図３
2004178968.tif 000002
【特許請求の範囲】
【請求項１】
所定巾のスリットで分断された円弧部およびこれに導通して点在する信号接点部からなる金属薄板製の円環状接点が、樹脂平面に露出してインサート成形固定された接点基板と、上記円環状接点に沿って上記接点基板上を摺動する弾性接点とで構成され、上記円環状接点の円弧部間のスリット部分を含む上記弾性接点の全摺動範囲において一定の規則に従った電気信号を発生する回転型電子部品。
【請求項２】
円環状接点およびその円弧部間のスリットを挟む両側から外方へそれぞれ導出した突出部の先端を連結した形状に、金属薄板を打ち抜き加工した金属接点板を、上記円環状接点部分が樹脂平面に露出するように、上記突出部を含めてインサート成形固定した後、上記突出部の連結部分を切断分離して接点基板を形成した請求項１記載の回転型電子部品。
【請求項３】
円環状接点の円弧部間のスリットを挟む両側の突出部根元の表面が樹脂で覆われていない請求項２記載の回転型電子部品。
【請求項４】
円環状接点の円弧部の内方に設けた信号接点部の内周端が、円弧部と平行な円環状の樹脂層で覆われた請求項１記載の回転型電子部品。
【請求項５】
電気信号が弾性接点の摺動に伴って所定の周期でＯＮ・ＯＦＦ状態を繰り返すものであり、上記弾性接点が円環状接点の円弧部のスリット部分を摺動する区間が上記電気信号のＯＦＦ状態内に包含される請求項１記載の回転型電子部品。
【請求項６】
弾性接点が、円環状接点の円弧部間のスリットの巾と同等以上のピッチ間隔で、互いに導通した複数の接触点を有する請求項１記載の回転型電子部品。
【発明の詳細な説明】
【０００１】
【発明の属する技術分野】
本発明は、金属薄板製の円環状接点を樹脂製の接点基板にインサート成形固定した、比較的大径の回転型電子部品に関するものである。
【０００２】
【従来の技術】
従来のこの種の回転型電子部品について図８〜図１３を用いて説明する。
【０００３】
図８は従来の回転型電子部品としての回転型エンコーダの正面断面図、図９は分解斜視図、図１０は固定基板の平面図、図１１は回転体の接点基板部の下面図である。
【０００４】
同図において、１は絶縁樹脂製の固定基板で、その平板部１Ａに固定接点としての接触部を有する弾性金属薄板製の弾性接点２を複数備えると共に、中央の中空の円筒壁１Ｂの外周には絶縁樹脂製の回転体３の円筒軸３Ａが回転可能に嵌合され、その外周のフランジ状の接点基板部３Ｂの下面には、可動接点としての、円形リング部４Ａとこれに導通して点在する信号用接点４Ｂからなる円環状接点４がインサート成形固定されて配設されており、この円環状接点４に固定基板１の各弾性接点２が弾接するように、接点基板部３Ｂの上面を覆うカバー６の脚部６Ａの先端を折り曲げることによって、回転体３全体が固定基板１に対して位置決めされている。
【０００５】
なお、回転体３の接点基板部３Ｂは、図１２の組込み前の金属接点板の状態を示す平面図に示すような、全周がつながった円形リング部４Ａに導通して所定の信号部４Ｂが点在して設けられた円環状接点４を連結桟５Ａにより枠部５Ｂに固定した金属接点板５を、回転体３の成形加工時に絶縁樹脂によりインサート成形固定し、その後に連結桟５Ａを切断することによって、回転体３の外周に形成されたものである。
【０００６】
そして、円筒軸３Ａを介して回転体３を回転させることにより、各弾性接点２の接触部２Ａおよび２Ｂ等が円環状接点４の円形リング部４Ａ上および信号用接点部４Ｂ上をそれぞれ摺動して、図１３の出力波形図に示すような、一定の規則に従ったＯＦＦ・ＯＮ状態を繰り返す電気信号を発生し、所定の出力端子（図示せず）を通して使用される電子機器の回路に出力する。
【０００７】
また、図１０に示したように、固定基板１の円筒壁１Ｂの中心にプッシュスイッチ７を配設し、プッシュスイッチ７の操作ボタン７Ａを押すことにより、上述した回転型エンコーダ部とは独立して操作するようにしても使用できるものであった。
【０００８】
なお、この出願の発明に関連する先行技術文献情報としては、例えば、特許文献１が知られている。
【０００９】
【特許文献１】
特開平１１−１７６２８７号公報
【００１０】
【発明が解決しようとする課題】
上記のように、この種の回転型電子部品は、中心部にプッシュスイッチ７等の他の独立した電子部品が収容できるように比較的大径であり、また、使用される電子機器においては、発生する電気信号の波形が長期において安定していることが要求される。
【００１１】
そして、このような要求を満たすためには、電気信号を発生する接点部を安定した状態で形成することが必要である。
【００１２】
しかし、従来の回転型電子部品である回転型エンコーダは、可動接点である円環状接点４を、上記のように、金属接点板５を回転体３の絶縁樹脂でインサート成形固定して構成するものであるので、大径の回転体３の接点基板部３Ｂを成形加工する際における絶縁樹脂の冷却硬化時の収縮量はかなり大きい。
【００１３】
そして、接点基板部３Ｂにインサート成形固定される金属接点板５は温度変化による収縮が殆どないと共に、円環状接点４は全周がつながった円形リング部４Ａを有していて変形し難いために、接点基板部３Ｂに絶縁樹脂の収縮による応力を生じ、極端な場合には円環状接点４の一部が浮き上がったり、接点基板部３Ｂの反りが生じることもあり、このため、長期の使用中に電気信号に乱れを生じることもあるという課題があった。
【００１４】
本発明は、このような従来の課題を解決するものであり、金属接点板を接点基板にインサート成形して円環状接点を固定する際に応力が生じ難く、従って電気信号の波形が長期において安定している回転型電子部品を提供することを目的とする。
【００１５】
【課題を解決するための手段】
上記目的を達成するために本発明は、以下の構成を有するものである。
【００１６】
本発明の請求項１に記載の発明は、所定巾のスリットで分断された円弧部およびこれに導通して点在する信号接点部からなる金属薄板製の円環状接点が、樹脂平面に露出してインサート成形固定された接点基板と、円環状接点に沿って接点基板上を摺動する弾性接点とで構成され、円環状接点の円弧部間のスリット部分を含む弾性接点の全摺動範囲において一定の規則に従った電気信号を発生する回転型電子部品としたものであり、円環状接点が円弧部間のスリットで分断されており、接点基板にインサート成形固定する際の樹脂の収縮に対応して、円環状接点がスリット部分で僅かに変移して成形収縮による応力を緩和するので、接点基板の接点部が安定した状態で構成され、弾性接点の全摺動範囲において一定の規則に従った電気信号を、長期において安定して発生する回転型電子部品を実現できるという作用効果を有する。
【００１７】
請求項２に記載の発明は、請求項１記載の発明において、円環状接点およびその円弧部間のスリットを挟む両側から外方へそれぞれ導出した突出部の先端を連結した形状に、金属薄板を打ち抜き加工した金属接点板を、円環状接点部分が樹脂平面に露出するように、突出部を含めてインサート成形固定した後、突出部の連結部分を切断分離して接点基板を形成したものであり、請求項１に記載の発明による作用に加えて、円弧部間のスリットで分断された円環状接点全体の形状・寸法が安定した状態で接点基板に固定された回転型電子部品が得られるという作用効果を有する。
【００１８】
請求項３に記載の発明は、請求項２記載の発明において、円環状接点の円弧部間のスリットを挟む両側の突出部根元の表面が樹脂で覆われていないものであり、金属接点板をインサート成形加工した後に、円弧部間のスリットを挟む両側から導出された突出部を、切断金型で簡単・確実に切断分離することができるという作用効果を有する。
【００１９】
請求項４に記載の発明は、請求項１記載の発明において、円環状接点の円弧部の内方に設けた信号接点部の内周端が、円弧部と平行な円環状の樹脂層で覆われたものであり、請求項１に記載の発明による作用に加えて、円環状接点がより安定した状態で、強固に接点基板に固定された回転型電子部品が得られるという作用効果を有する。
【００２０】
請求項５に記載の発明は、請求項１記載の発明において、電気信号が弾性接点の摺動に伴って所定の周期でＯＮ・ＯＦＦ状態を繰り返すものであり、弾性接点が円環状接点の円弧部のスリット部分を摺動する区間が上記電気信号のＯＦＦ状態内に包含されるものであり、円環状接点の円弧部がスリット部分で分断されていることに関係なく、円環状接点に沿った弾性接点の全摺動範囲において、所定の周期でＯＮ・ＯＦＦ状態を繰り返す電気信号を発生する回転型電子部品を実現できるという作用効果を有する。
【００２１】
請求項６に記載の発明は、請求項１記載の発明において、弾性接点が、円環状接点の円弧部間のスリットの巾と同等以上のピッチ間隔で、互いに導通した複数の接触点を有するものであり、円環状接点の円弧部がスリット部分で分断されていることに関係なく、互いに導通した複数の接触点のいずれかが常に円弧部上に位置する構成にでき、円環状接点に沿った弾性接点の全摺動範囲において、一定の規則に従った電気信号を発生する回転型電子部品を実現できるという作用効果を有する。
【００２２】
【発明の実施の形態】
以下、本発明の一実施の形態について、図１〜図７を用いて説明する。
【００２３】
なお、従来の技術の項で説明した構成と同一構成の部分には同一符号を付して、詳細な説明を省略する。
【００２４】
（実施の形態）
図１は本発明の一実施の形態による回転型電子部品としての回転型エンコーダの正面断面図であり、同図に示すように、基本的な構成は従来の技術の項で説明したものと同じである。
【００２５】
すなわち、固定基板１１は、図２の平面図に示すように、平板部１１Ａに固定接点としての弾性金属薄板製の弾性接点１２を複数個備え、中央の円筒壁１１Ｂの外周には絶縁樹脂製の回転体１５の円筒軸１５Ａが回転可能に嵌合され、その外周のフランジ状の接点基板部１５Ｂの下面には、図３に示すように、可動接点としての円環状接点１６がインサート成形固定されて配設されている。
【００２６】
さらに、接点基板部１５Ｂの円環状接点１６に固定基板１１の各弾性接点１２が弾接するように、接点基板部１５Ｂの上面を覆うカバー６の脚部６Ａの先端を折り曲げることにより、回転体１５全体が固定基板１１に対して位置決めされている。
【００２７】
そして、円筒軸１５Ａを介して回転体１５を回転させることにより、図２に示す複数の弾性接点１２の各接触部１３，１４が円環状接点１６上を摺動して一定の規則に従った電気信号が発生される。
【００２８】
また、上述の回転型エンコーダ部とは独立して操作できるように、固定基板１１の円筒壁１１Ｂの中心にプッシュスイッチ７などが配設されて使用できることは従来の技術の場合と同様である。
【００２９】
しかし、本実施の形態によるものは、接点基板部１５Ｂの下面にインサート成形固定された円環状接点１６の構成が、図３に示すように、従来の技術の場合と異なっている。
【００３０】
すなわち、円環状接点１６は、細巾のスリット１７（１７Ａ，１７Ｂ，…）で分断されて構成された複数の円弧部１８（１８Ａ，１８Ｂ，…）および各円弧部１８に導通して点在する信号接点部１９（１９Ａ，１９Ｂ，…）からなっておりこの各円弧部１８は、同一の円周リング幅内に位置するように、各スリット１７を介して環状に配列されて配されている。
【００３１】
そして、この円環状接点１６を固定した接点基板部１５Ｂの形成方法は、図４の組込み前の金属接点板の状態を示す平面図に示すような、円環状接点１６の円弧部１８間を分断するスリット１７を挟む両側から外方へそれぞれ導出した複数組の突出部２０（２０Ａ，２０Ｂ，…）の先端をそれぞれ連結し、連結桟２１（２１Ａ，２１Ｂ，…）として外周の枠部２２に固定した金属接点板２３を、回転体１５の成形加工時に、図５の成形加工後の回転体を下面側から見た外観斜視図に示すように、円環状接点１６の部分を樹脂平面に露出させ、各突出部２０を含めて接点基板部１５Ｂの下面にインサート成形固定し、その後に、各突出部２０（２０Ａ，２０Ｂ，…）を根元部近傍で切断して、各組の突出部２０を連結している連結桟２１（２１Ａ，２１Ｂ，…）から分離するものである。
【００３２】
このように、円環状接点１６の構成を細巾のスリット１７で分断された円弧部１８が環状に配列された構成とすることによって、回転体１５の成形加工時に、金属接点板２３を接点基板部１５Ｂ下面にインサート成形固定する際の樹脂の収縮に対応して、円環状接点１６がスリット１７の部分で僅かに変移して成形収縮による応力を緩和するので、接点基板部１５Ｂ下面に円環状接点１６全体が安定した状態に固定される。
【００３３】
なお、金属接点板２３を回転体１５の接点基板部１５Ｂの下面にインサート成形固定する際に、図５に示すように、円環状接点１６の円弧部１８間のスリット１７を挟む両側の突出部２０根元の表面を樹脂で覆わないようにしておくと、図６の金属接点板の突出部切断方法を説明する正面断面図に示すように、成形加工後の回転体１５の円環状接点１６を下側として、円弧部１８からの突出部２０の表面に切断金型の下型２４を当て、当該回転体１５から見て外方上部から上型２５を押し下げることにより、突出部２０の根元部を簡単・確実に切断することができる。
【００３４】
また、上記の金属接点板２３を接点基板部１５Ｂの下面にインサート成形固定する際に、図３および図５に示すように、円環状接点１６の円弧部１８の内方に設けた信号接点部１９の内周端の表面を、円弧部１８と平行な円環状の樹脂層１５Ｃで覆って固定することによって、円環状接点１６をより安定した状態で、強固に接点基板部１５Ｂに固定することができる。
【００３５】
一方、このように形成された接点基板部１５Ｂ下面の円環状接点１６に弾接するように固定基板１１に設けられた弾性接点１２は、図２に示したように、二つの接触部１３，１４を有しており、この接触部１３，１４は固定基板１１の円筒壁１１Ｂの中心すなわち回転体１５の回転中心からの半径に沿った直線上に配列されて、接触部１３は円環状接点１６の円弧部１８上に沿い、接触部１４は信号接点部１９上に沿ってそれぞれ摺動するように構成されている。
【００３６】
なお、接触部１４として、独立した２つのものを位相差を持たすように配設した場合には、従来の技術で説明した図１３の電気信号が得られるものとなる。
【００３７】
そして、この回転型エンコーダが発生する電気信号が、回転操作に伴って所定の周期でＯＮ・ＯＦＦ信号を繰り返す一般的なタイプである場合には、弾性接点１２がこのような一般的な構成であっても、円環状接点１６の円弧部１８の間に設けたスリット１７が上記のように細巾で、各円弧部１８に導通した信号接点部１９の間の絶縁部の範囲内に配しておけば、円筒軸１５Ａを介して回転体１５を回転させる時に、弾性接点１２の接触部１３が円環状接点１６の円弧部１８間のスリット１７の部分を摺動する区間が電気信号のＯＦＦ状態の中に包含されるので、円環状接点１６の円弧部１８がスリット１７部分で分断されていることに関係なく、円環状接点１６に沿った弾性接点１２の全摺動範囲において所定の周期でＯＮ・ＯＦＦ状態を繰り返す電気信号を発生させることができる。
【００３８】
また、図７の他の構成の弾性接点を備えた固定基板の部分拡大平面図に示すように、弾性接点２６の二つの接触部２７，２８のうち、円弧部１８に弾接する接触部２７が回転体１５の回転時の摺動方向において円環状接点１６の円弧部１８を分断するスリット１７と同等以上のピッチ間隔で、互いに導通した二つの接触点２７Ａ，２７Ｂを有する構成とすれば、円環状接点１６の円弧部１８がスリット１７部分で分断されていることに関係なく、接触点２７Ａ，２７Ｂの一方は常にいずれかの円弧部１８上に位置することとなるため、円環状接点１６に沿った弾性接点２６の全摺動範囲において、一定の規則に従った電気信号を発生させるものにできる。
【００３９】
なお、以上の説明において、固定基板１１に弾性接点１２を、回転体１５の接点基板部１５Ｂに円環状接点１６をそれぞれ配設するものとして説明したが、これを反対に組み合わせた構成としても、本発明は適用できるものである。
【００４０】
【発明の効果】
以上のように本発明によれば、金属薄板製の円環状接点が円弧部間のスリットで分断されており、接点基板にインサート成形固定する際の樹脂の収縮に対応して、円環状接点がスリット部分で僅かに変移して成形収縮による応力を緩和するので、接点基板の接点部が安定した状態に形成され、弾性接点の全摺動範囲において、一定の規則に従った電気信号を長期に亘って安定して発生させる回転型電子部品を実現できるという有利な効果が得られる。
【図面の簡単な説明】
【図１】本発明の第１の実施の形態による回転型電子部品としての回転型エンコーダの正面断面図
【図２】同要部である固定基板の平面図
【図３】同要部である接点基板部の下面図
【図４】同組込み前の金属接点板の状態を示す平面図
【図５】同成形加工後の回転体を下面側から見た外観斜視図
【図６】同金属接点板の突出部切断方法を説明する正面断面図
【図７】同他の構成の弾性接点を備えた固定基板の部分拡大平面図
【図８】従来の回転型電子部品としての回転型エンコーダの正面断面図
【図９】同分解斜視図
【図１０】同要部である固定基板の平面図
【図１１】同要部である接点基板部の下面図
【図１２】同組込み前の金属接点板の状態を示す平面図
【図１３】同回転型エンコーダの出力波形図
【符号の説明】
６  カバー
６Ａ  脚部
７  プッシュスイッチ
１１  固定基板
１１Ａ  平板部
１１Ｂ  円筒壁
１２，２６  弾性接点
１３，１４，２７，２８  接触部
１５  回転体
１５Ａ  円筒軸
１５Ｂ  接点基板部
１５Ｃ  樹脂層
１６  円環状接点
１７（１７Ａ，１７Ｂ，…）  スリット
１８（１８Ａ，１８Ｂ，…）  円弧部
１９（１９Ａ，１９Ｂ，…）  信号接点部
２０（２０Ａ，２０Ｂ，…）  突出部
２１（２１Ａ，２１Ｂ，…）  連結桟
２２  枠部
２３  金属接点板
２４  下型
２５  上型
２７Ａ，２７Ｂ  接触点
【図１】
2004178968.tif 000003
【図２】
2004178968.tif 000004
【図３】
2004178968.tif 000005
【図４】
2004178968.tif 000006
【図５】
2004178968.tif 000007
【図６】
2004178968.tif 000008
【図７】
2004178968.tif 000009
【図８】
2004178968.tif 000010
【図９】
2004178968.tif 000011
【図１０】
2004178968.tif 000012
【図１１】
2004178968.tif 000013
【図１２】
2004178968.tif 000014
【図１３】
2004178968.tif 000015